(57)【要約】【課題】引き違いサッシの網戸に対して、窓の開放時における網戸のスライドを阻止するために取り付けられるロック装置について、室外側からのロックの解除を困難にする。【解決手段】網戸のロック装置は、網戸の室内側の見付面に取り付けられて起立位置と倒伏位置との間で回動可能なロックパネル１１と、ロックパネル１１の回動の中心軸に対して接近および離反する方向にスライド可能でありかつばね１３により接近する方向に付勢される操作体１２を備える。ロックパネル１１は、起立位置で外障子の軌道上に突出して網戸のスライドを阻止し、倒伏位置で外障子の軌道上から退避して網戸のスライド移動を許容する。操作体１２は、ロックパネル１１の起立位置で網戸の差し込み凹部２１ｊに差し込まれて回動を規制する。操作体１２をスライドさせて、差し込み凹部２１ｊから抜き取ると、ロックパネル１１の回動規制は解除される。【選択図】図４
2015025260.tif 000002
【特許請求の範囲】
【請求項１】
窓枠に、室内側の内障子、室外側の外障子および網戸を三列の軌道上にそれぞれ水平方向にスライド可能に取り付けてなる引き違いサッシの網戸の室内側の見付面に取り付けられる網戸のロック装置であって、
前記網戸の室内側の見付面に取り付けられた状態でその見付面から立ち上がる起立位置とその見付面とほぼ平行となる倒伏位置との間で回動可能なロックパネルと、
前記ロックパネルの回動の中心軸に対して接近および離反する方向にロックパネルのパネル面に沿ってスライド可能なように前記ロックパネルに組み込まれる操作体と、
前記ロックパネルに組み込まれて前記操作体を前記ロックパネルの回動の中心軸に向けて付勢するばねと、を備え、
前記ロックパネルは、前記起立位置において前記外障子の軌道上に突出して網戸と外障子との相対的なスライド移動の際に前記外障子の見込面に突き当たることでそのスライド移動を阻止し、かつ前記倒伏位置において前記外障子の軌道上から退避して網戸と外障子との相対的なスライド移動を許容し、
前記操作体は、前記ロックパネルの起立位置において前記ばねの付勢により前記ロックパネルの回動の中心軸に接近して、その先端部が前記網戸の室内側の見付面に存在する差し込み凹部に差し込まれることで前記ロックパネルの回動を規制し、かつ前記ばねの付勢に抗して前記ロックパネルの回動の中心軸から離反させ、前記先端部を前記網戸の室内側の見付面に設けられた差し込み凹部から抜き取ることで前記ロックパネルの回動規制を解除する、網戸のロック装置。
【発明の詳細な説明】
【技術分野】
【０００１】
本発明は、引き違いサッシにおける網戸の開閉方向へのスライドを阻止するためのロック装置に関する。
【背景技術】
【０００２】
窓枠に対して、室内側の内障子、室外側の外障子および網戸を三列の軌道上にそれぞれ水平方向(左右方向)にスライド可能に取り付けてなる引き違いサッシが知られている。
このような引き違いサッシにおいては、窓の開放時には、外障子と内障子とを窓枠の左右一方の側に重なり合うようにスライドさせ、また網戸を窓枠の左右他方の側へとスライドさせて、その窓枠の左右他方の側に形成される開口を網戸で閉鎖することで、外気の室内への流出入を許容しつつ、塵埃等の室内への流入を抑制する。
また、窓の閉鎖時には、外障子と内障子とを互いに窓枠の左右逆方向にスライドさせ、外障子と内障子とでその窓枠の開口を閉鎖した状態で施錠を行うため、外部からの不審者の侵入等を防止することができる。
【０００３】
ところで、上記したような窓の開放時に、網戸が窓枠の左右方向にスライド自在であると、この網戸を外障子および内障子の側へとスライドさせることで、窓枠の開口から室内へと容易に侵入可能となる。
このような窓の開放時における網戸のスライドを阻止するために、特許文献１のような引き違いサッシにおける網戸のロック装置が考案されている。
特許文献１のロック装置では、網戸の室内側の見付面(側面)から室外側の見付面(側面)にかけて貫通するシャフト状のロック部材が、その室内外の方向へとスライド自在となっている。
窓の開放時には、このロック部材を室内の側へとスライドさせて室内に突出させておくと、網戸をスライドさせようとしても、このロック部材が外障子や内障子の見込面(端面)に突き当たることで、スライドが阻止される。
この状態から、ロック部材を室外の側へとスライドさせて外障子や内障子の軌道上から退避させると、外障子や内障子は左右にスライド自在となって、窓が閉鎖可能となる。
【先行技術文献】
【特許文献】
【０００４】
【特許文献１】特開平１１−２９４０４４号公報
【発明の概要】
【発明が解決しようとする課題】
【０００５】
しかし特許文献１のロック装置では、網戸を貫通するロック部材が室内外の方向へとスライド自在になっているため、室外からロック部材によるロックを解除すること、すなわちロック部材を室外の側へとスライドさせることが容易であり、室外からの不審者の侵入を防止するには不十分である。
【０００６】
そこで本発明の解決すべき課題は、引き違いサッシの網戸に対して、窓の開放時における網戸のスライドを阻止するために取り付けられるロック装置について、室外側からのロックの解除を困難にすることである。
【課題を解決するための手段】
【０００７】
上記した課題を解決するため、発明にかかる網戸のロック装置を、ロックパネルと、操作体と、ばねとから構成したのである。ここでロックパネルは、引き違いサッシの網戸の室内側の見付面(側面)に取り付けられて、その見付面から立ち上がる起立位置と、その見付面とほぼ平行となる倒伏位置との間で回動可能である。また操作体は、前記ロックパネルの回動の中心軸に対して接近および離反する方向に、ロックパネルのパネル面に沿ってスライド可能なように、ロックパネルに組み込まれている。ばねは、ロックパネルに組み込まれて、前記操作体を前記ロックパネルの回動の中心軸に向けて付勢する。
そして前記ロックパネルは、前記起立位置において引き違いサッシの外障子の軌道上に突出して、網戸と外障子との相対的なスライド移動の際に前記外障子の見込面(端面)に突き当たることでそのスライド移動を阻止する。また、前記倒伏位置において前記外障子の軌道上から退避して網戸と外障子との相対的なスライド移動を許容する。
さらに前記操作体は、前記ロックパネルの起立位置において前記ばねの付勢により前記ロックパネルの回動の中心軸に接近して、その先端部が前記網戸の室内側の見付面(側面)に存在する差し込み凹部に差し込まれることで、前記ロックパネルの回動を規制する。また、前記ばねの付勢に抗して前記ロックパネルの回動の中心軸から離反させ、前記先端部を前記網戸の室内側の見付面(側面)に存在する差し込み凹部から抜き取ることで、前記ロックパネルの回動規制を解除するものとしたのである。
【発明の効果】
【０００８】
発明にかかる網戸のロック装置を以上のように構成したので、ロックパネルを網戸のスライドを規制する起立位置から網戸のスライドを許容する倒伏位置へと回動させる際には、まず操作体を指でつまむなどして、ロックパネルの回動の中心軸から離れる向きにスライドさせて操作体の突片を網戸の室内側の見付面に存在する差し込み凹部から抜き取る必要がある。
しかし、網戸の室内側の見付面に取り付けられたロック装置の操作体を、室外側からつまんで操作することはそもそも難しいうえ、操作体の先端部がばねの付勢により再び差し込み凹部に差し込まれてないように操作体を押さえたままで、室外側からロックパネルを回動操作させることもまた困難であり、室外側からの不審者等の侵入を抑制することができる。
【図面の簡単な説明】
【０００９】
【図１】網戸のロック装置のロックパネルが倒伏した状態を示す正面斜視図
【図２】網戸のロック装置のロックパネルが起立した状態を示す正面斜視図
【図３】網戸のロック装置の(ａ)は背面分解斜視図、(ｂ)は縦断面図
【図４】網戸に取り付けられたロック装置の(ａ)はロックパネルが起立した状態を、(ｂ)はロックパネルが倒伏した状態をそれぞれ示す縦断面図
【図５】網戸のロック装置を取り付けた網戸の(ａ)は全体正面図、(ｂ)は要部正面図
【図６】網戸のロック装置を取り付けた網戸を含む引き違いサッシの横断面図
【発明を実施するための形態】
【００１０】
以下、図面を参照しつつ本発明の実施形態について説明する。
図１〜図４に示す実施形態の網戸のロック装置１０は、図５および図６のように引き違いサッシ２０の網戸２１の室内側の見付面、より詳しくはその中桟２１ｄの左右両側にそれぞれ取り付けられて用いられる。
そして網戸のロック装置１０は、網戸２１のスライドを阻止する状態と許容する状態との間で切り替え可能であり、かつスライドを阻止する状態から許容する状態への切り替えを室外側からおこなうのが困難なように構成されている。
【００１１】
図５のように、引き違いサッシ２０の網戸２１は、上框２１ａと下框２１ｂと左右一対の縦框２１ｃを方枠形に組み上げて形成されており、上框２１ａと下框２１ｂの中間部には、左右一対の縦框２１ｃ間に架け渡された中桟２１ｄが設けられている。上下の框２１ａ、２１ｂと中桟２１ｄの間には、パッキン２１ｅを介して(図４、図６参照)、ステンレス等からなる網２１ｆが張られている。
引き違いサッシ２０の窓枠の上枠および下枠には、室内側の内障子２２、室外側の外障子２３および網戸２１の軌道となる、内レール、外レールおよび網戸レールの三列のレールが設けられており、その上枠の網戸レールに網戸２１の上框２１ａが、その下枠の網戸レールに網戸２１の下框２１ｂがそれぞれはめ込まれている。
さらに網戸２１の上框２１ａには外れ止め２１ｇが、網戸２１の下框２１ｂには戸車２１ｈがそれぞれ付属しており、戸車２１ｈの転動により網戸２１は網戸レールに沿って左右方向にスムーズにスライドし、また外れ止め２１ｇにより網戸２１が網戸レールから脱落するのが抑制されている。
【００１２】
さらに図６を参照して、引き違いサッシ２０の内障子２２および外障子２３は、それぞれ網戸２１と同様に、上框と下框と左右一対の縦框２２ａ、２３ａを方形に組み上げて形成されており、その内側にはガラスパネル２２ｂ、２３ｂがはめ込まれている。
内障子２２の上下の框は窓枠の上下の枠の内レールに、外障子２３の上下の框は窓枠の上下の枠の外レールにそれぞれはめ込まれており、内障子および外障子は、内レールおよび外レールに沿って左右方向にスライド可能となっている。
【００１３】
図６のように、窓を開放する際には、内障子２２と外障子２３とを窓枠の左右一方の側に重なり合うようにスライドさせ、網戸２１は窓枠の左右他方の側にスライドさせて窓の開口からの塵埃等の流入を防止する。同時に網戸のロック装置１０により、網戸２１のスライドを阻止することで、外部からの不審者の侵入を防止する。
一方、窓を閉鎖する際には、内障子２２と外障子２３とを窓枠の左右の反対方向にスライドさせて、施錠により両者をスライド不能に固定することで、外部からの不審者の侵入を防止する。
【００１４】
図１〜図４のように、実施形態の網戸のロック装置１０は、網戸２１の中桟２１ｄに取り付けられるロックパネル１１と、ロックパネル１１に組み込まれる操作体１２およびばね１３と、ロックパネル１１の背面の一部を閉鎖するカバー１４とを備える。
【００１５】
図３等のように、ロックパネル１１は全体が左右に細長く平面視でほぼ長方形のパネル体であって、その下縁の左右方向の中間部に、ほぼ矩形に切り欠かれてなる操作体収納空間１１ａを有している。操作体収納空間１１ａを挟んで左右に対向する内面には、上下方向に延びるガイド溝１１ｂが形成されている。
ロックパネル１１の下縁の操作体収納空間１１ａの左右に隣接する箇所には、それぞれ背面に向けてカールする半割パイプ形の一対の軸受部１１ｃが設けられている。
ロックパネル１１の正面は、ほぼフラットに形成されている。
一方、ロックパネル１１の背面には、一対の軸受部１１ｃのそれぞれ上方において突出するばね掛けピン１１ｄが設けられている。
さらにロックパネル１１の背面には、左右一対のばね掛けピン１１ｄを取り囲むように、角筒形の隔壁１１ｅが設けられている。隔壁１１ｅの高さはばね掛けピンの高さとほぼ等しいか、若干高くなっている。また、この隔壁のほぼ全周の内縁には、段が形成されている。
【００１６】
一方、図２および図５等のように、網戸２１の外障子２３と対向する側(室内側)の見付面において、その中桟２１ｄには、左右方向に延びる凹状の取り付け部２１ｉが設けられている。また取り付け部２１ｉの下半部は、さらに深く窪んで差し込み凹部２１ｊとなっている。
中桟２１ｄの左右両側部の取り付け部２１ｉには、それぞれ左右一対の軸受体２１ｋが固定されている。この軸受体２１ｋの下端部はカールして、差し込み凹部２１ｊの内部へと至っている。
そして差し込み凹部２１ｊの内部において、左右一対の軸受体２１ｋのカールした下端部間には、取り付け軸２１ｌが支持されている。
左右一対の軸受体２１ｋ間において、網戸のロック装置１０のロックパネル１１は、その軸受部１１ｃが取り付け軸２１ｌの外周にはめ込まれることで、中桟２１ｄの取り付け部２１ｉ内に取り付けられている。
これによりロックパネル１１は、図１および図４(ａ)のような、網戸２１の室内側の見付面に対して立ち上がった起立位置と、図２および図４(ｂ)のような、網戸２１の室内側の見付面に対して倒伏した倒伏位置との間で、取り付け軸２１ｌを中心に回動可能となっている。
ここでロックパネル１１は、凹状の取り付け部２１ｉに取り付けられていることから、その倒伏位置においては、中桟２１ｄの見付面とほぼ同一平面をなすか、微少に見付面から突出しているに過ぎない(図４(ｂ)参照)。
【００１７】
図３等のように、操作体１２は平面視がほぼ矩形で厚みの小さなブロック体であって、ロックパネル１１の操作体収納空間１１ａに収納されている。
操作体１２の左右の側面には上下方向に延びるガイド条１２ａが形成されており、このガイド条１２ａがロックパネル１１のガイド溝１１ｂにはめ込まれている。したがって、操作体１２はロックパネル１１のガイド溝１１ｂに沿ってスライド可能となっている。このスライド方向は、ロックパネル１１のパネル面に沿い、かつロックパネル１１の回動の中心となる取り付け軸２１ｌに対して接近および離反する方向となる。
操作体１２の正面上部には、突出するタブ１２ｂが設けられており、このタブ１２ｂに爪を引っかけたり指でつまんだりすることで、操作体１２をスライド操作しやすくなっている。
一方、操作体１２の背面上部には、段状のばね当て部１２ｃが設けられている。
さらに操作体１２の正面のタブ１２ｂよりも下方および背面のばね当て部１２ｃよりも下方にも、段部１２ｄ、１２ｅが形成されている。
【００１８】
図３等のように、左右方向に細長いばね１３は、その両端部がロックパネル１１の背面に設けられた左右一対のばね掛けピン１１ｄにそれぞれ架け渡されることで、ロックパネル１１に対して取り付けられている。
ばね１３の中間部はくの字状に下向きに折れ曲がった押圧部１３ａとなっており、この押圧部１３ａが操作体１２のばね当て部１２ｃに当接することで、操作体１２をロックパネル１１の回動の中心となる取り付け軸２１ｌへと接近する向きに付勢している。
【００１９】
図３等のように、平面視が長方形で両面がフラットなカバー１４は、ロックパネル１１の背面において、隔壁１１ｅの周に形成された段に沿ってはめ込まれる。このはめ込みの際には、上述のとおり、ばね掛けピン１１ｄの高さは隔壁１１ｅの高さより低いため、ばね掛けピン１１ｄがカバー１４に干渉することはない。
このカバー１４と隔壁１１ｅとで、ばね１３が装填された個所を含むロックパネル１１の背面の一部を閉鎖し、ばね１３がロックパネル１１から分離すること等が防止されている。
【００２０】
実施形態の網戸のロック装置１０の構成は以上のようであり、いま図６のように、窓を開放させた状態において、網戸２１の中桟２１ｄに取り付けられたロック装置１０のロックパネル１１を起立位置に回動させる。すると、ロックパネル１１が外障子の軌道上に突出するため、網戸２１をスライドさせようとした場合に、このロックパネル１１が外障子２３の見込面に突き当たり、網戸２１のスライドが阻止されることになる。外障子２３をスライドさせようとした場合も同様であり、網戸と外障子との相対的なスライド移動が阻止される。
このようなロックパネル１１の起立位置において、図４(ａ)のようにロックパネル１１に組み込まれている操作体１２は、ばね１３の付勢により網戸２１の中桟２１ｄの取り付け軸２１ｌに接近する向きにスライドする。そして操作体１２の先端部は、中桟２１ｄの差し込み凹部２１ｊへと自動的に差し込まれる。図示のように、この差し込みの詳細な位置は、差し込み凹部２１ｊの下壁と取り付け軸２１ｌとの間の位置となる。
【００２１】
このようにロックパネル１１の起立位置において、そのままロックパネル１１を倒伏させる方向に回動させようとした場合、ロックパネル１１に組み込まれている操作体１２の先端部が中桟２１ｄの差し込み凹部２１ｊに差し込まれていることから、先端部が差し込み凹部２１ｊに引っかかって回動が規制される。
そこでロックパネル１１を回動させる際には、まず操作体１２のタブ１２ｂをつまむなどして、操作体１２をばね１３の付勢方向とは逆向き、すなわち中桟２１ｄの取り付け軸２１ｌから離反する方向にスライドさせる。すると、操作体１２の先端部が中桟２１ｄの差し込み凹部２１ｊから抜け出るため、操作体１２の先端部の引っ掛かりが解除、換言すればロックパネルの回動規制が解除される。操作体１２から指を離すと、ばね１２の付勢により取り付け軸２１ｌに接近する向きに逆戻りしてしまうため、そのまま操作体１２を取り付け軸２１ｌから離反させた位置で押さえながら、図２のように、ロックパネル１１を倒伏位置へと回動させる。
こうしてロックパネル１１を倒伏位置へと回動させると、網戸のロック装置１０は外障子２３の軌道上から退避するため、網戸２１と外障子２３との相対的なスライド移動を妨げるものは存在せず、網戸２１や外障子２３を自由にスライドさせることが可能となる。
このように、ロックパネル１１を起立位置から倒伏位置に回動させる際には、まず操作体１２をばねの付勢に抗してスライドさせ、その操作体をスライドさせた位置で指などで押さえながら、ロックパネル１１を回動操作する必要がある。そのため、室外側からロックパネルを倒伏する方向に回動操作するのは困難である。
【００２２】
ところで、このようなロックパネル１１の倒伏位置において、図４(ｂ)のように、操作体１２の先端部は、中桟２１ｄの差し込み凹部２１ｊの外部において、取り付け部２１ｉの下壁へと接触している。
ここからロックパネル１１を起立位置に回動させようとした場合、操作体１２は、まずその先端部の取り付け部２１ｉの下壁との接触圧により、ばね１３の付勢に抗して微少に中桟２１ｄの取り付け軸２１ｌから離反する向きにスライドするため回動を阻害することはない。すなわち、ロックパネル１１を倒伏位置から起立位置に回動させる際には、操作体１２を操作する必要はない。
次いで回動が進行してロックパネル１１が一定以上の角度に起き上がると、操作体１２の先端部は取り付け部２１ｉの下壁の押圧から解放され、ばね１３の付勢により取り付け軸２１ｌに接近する方向にスライドして、中桟２１ｄの差し込み凹部２１ｊの奥深くへと速やかに進入する。これにより、ロックパネル１１は再び起立位置で回動が規制されることになる。
【００２３】
今回開示された実施形態はすべての点で例示であって制限的なものではないと考慮されるべきである。本発明の範囲は特許請求の範囲によって示され、特許請求の範囲と均等の意味および範囲内でのすべての修正と変形を含むものであることが意図される。
たとえば、網戸のロック装置１０の網戸への取り付け態様は実施形態に限定されず、実施形態とは上下逆向きに取り付けてもよい。
【符号の説明】
【００２４】
１０  網戸のロック装置
１１  ロックパネル
１１ａ  操作体収納空間
１１ｂ  ガイド溝
１１ｃ  軸受部
１１ｄ  ばね掛けピン
１１ｅ  隔壁
１２  操作体
１２ａ  ガイド条
１２ｂ  タブ
１２ｃ  ばね当て部
１２ｄ、１２ｅ  段部
１３  ばね
１３ａ  押圧部
１４  カバー
２０  引き違いサッシ
２１  網戸
２１ａ  上框
２１ｂ  下框
２１ｃ  縦框
２１ｄ  中桟
２１ｅ  パッキン
２１ｆ  網
２１ｇ  外れ止め
２１ｈ  戸車
２１ｉ  取り付け部
２１ｊ  差し込み凹部
２１ｋ  軸受体
２１ｌ  取り付け軸
２２  内障子
２２ａ  縦框
２２ｂ  ガラスパネル
２３  外障子
２３ａ  縦框
２３ｂ  ガラスパネル
【図１】
2015025260.tif 000003
【図２】
2015025260.tif 000004
【図３】
2015025260.tif 000005
【図４】
2015025260.tif 000006
【図５】
2015025260.tif 000007
【図６】
2015025260.tif 000008